(57)【要約】【課題】より複雑な形状を有する筐体本体であっても、防水性の低下を抑制することができる筐体を提供する。【解決手段】Ｏリング２と、一対の筐体本体３ａ，３ｂと、Ｏリング溝８と、を備える筐体１に係る。Ｏリング２は弾性を有している。一対の筐体本体３ａ，３ｂは、Ｏリング２を挟んで収容空間を形成し、互いに近づく方向に力が加えられて結合されている。また、一対の筐体本体３ａ，３ｂの、Ｏリング２と当接する当接面５は、該力が加えられる方向Ｘに対して傾斜している傾斜面７を含んでいる。Ｏリング溝８は、Ｏリング２を配置するために、一対の筐体本体３ａ，３ｂのうちの少なくとも一方の筐体本体３ｂの傾斜面７に、傾斜面７が傾斜している方向Ｙへ延びるように形成されている。また、Ｏリング溝８は、Ｏリング溝８の溝幅Ｌ１がＯリング２の太さＭよりも小さい狭窄部分９を含んでいる。【選択図】図２
2012142384.tif 000002
【特許請求の範囲】
【請求項１】
弾性を有するＯリングと、
前記Ｏリングを挟んで収容空間を形成し、互いに近づく方向に力が加えられて結合された一対の筐体本体であって、前記Ｏリングと当接する当接面が、前記力が加えられる方向に対して傾斜している傾斜面を含んでいる一対の筐体本体と、
前記Ｏリングを配置するためのＯリング溝であって、前記一対の筐体本体のうちの少なくとも一方の筐体本体の前記傾斜面に、該傾斜面が傾斜している方向へ延びるように形成され、かつＯリング溝の溝幅が前記Ｏリングの太さよりも小さい狭窄部分を含むＯリング溝と、
を有する、筐体。
【請求項２】
前記Ｏリング溝が、前記当接面の、前記Ｏリングが配置されるすべての領域に形成されており、前記傾斜面以外の該Ｏリング溝の溝幅が、前記Ｏリングの太さよりも大きい、請求項１に記載の筐体。
【請求項３】
請求項１または２に記載の筐体と、
前記収容空間に収容された電子部品と、を備えた、電子機器。
【発明の詳細な説明】
【技術分野】
【０００１】
本発明は、防水機能を有する筐体および該筐体を備えた電子機器に関する。特に、Ｏリングを用いて防水機能が付与された筐体に関する。
【背景技術】
【０００２】
携帯電話機やデジタルカメラなどの携帯型の電子機器の筐体に防水機能が求められてきている。防水機能を有する筐体として、弾性を有するＯリングを用いたものが提案されている（例えば特許文献１）。
【０００３】
特許文献１で開示されている筐体は、互いに組み合わされて収容空間を形成する一対の筐体本体を有しており、該一対の筐体本体の間にＯリングが配置されている。一対の筐体本体は、ネジやリベットなどの結合部材を用いて、それぞれの筐体本体が互いに近づく方向の力が加えられた状態で、一対の筐体本体が結合されている。
【０００４】
一対の筐体本体をこのような結合部材を用いて結合することによって、Ｏリングが一対の筐体本体の間で狭圧される。その結果、Ｏリングと、それぞれの筐体本体の、該Ｏリングと当接している当接面と、の間の隙間が塞がれ、筐体の防水性が高められる。
【先行技術文献】
【特許文献】
【０００５】
【特許文献１】特開平８−４２７００号公報
【発明の概要】
【発明が解決しようとする課題】
【０００６】
近年では、電子機器の外観や操作性の向上のため、より複雑な形状を有する筐体本体が求められている。
【０００７】
しかしながら、特許文献１に開示されている筐体では、それぞれの筐体本体の当接面が、結合部材により加えられる力の方向（以下、結合方向という）に対して傾斜している場合、防水性が低下する虞があった。この理由は次の通りである。すなわち、結合部材を用いて一対の筐体本体を結合するときに、当接面が傾斜している方向（以下、傾斜方向という）の力がＯリングに働き、該Ｏリングが傾斜方向に引き伸ばされる。その結果、当接面と垂直な方向におけるＯリングの厚さが薄くなり、Ｏリングと当接面との間に隙間が形成されるからである。
【０００８】
そのため、特許文献１で開示されている筐体で比較的高い防水性を得るためには、当接面が結合方向に対して垂直に交わっている必要があり、筐体の形状が制限されていた。
【０００９】
そこで、本発明の目的の一例は、より複雑な形状を有する筐体本体であっても、防水性の低下を抑制することができる筐体を提供することにある。
【課題を解決するための手段】
【００１０】
上記目的を達成するために、本発明の一つの態様は、Ｏリングと、一対の筐体本体と、Ｏリング溝と、を備える筐体に係る。この態様において、Ｏリングは弾性を有している。一対の筐体本体は、Ｏリングを挟んで収容空間を形成し、互いに近づく方向に力が加えられて結合されている。また、一対の筐体本体の、Ｏリングと当接する当接面は、該力が加えられる方向に対して傾斜している傾斜面を含んでいる。Ｏリング溝は、Ｏリングを配置するために、一対の筐体本体のうちの少なくとも一方の筐体本体の傾斜面に、該傾斜面が傾斜している方向へ延びるように形成されている。また、Ｏリング溝は、Ｏリング溝の溝幅がＯリングの太さよりも小さい狭窄部分を含んでいる。
【発明の効果】
【００１１】
本発明の筐体によれば、より複雑な形状を有する筐体本体であっても、防水性の低下を抑制することができる。
【図面の簡単な説明】
【００１２】
【図１】本発明の実施形態に係る筐体の分解斜視図である。
【図２】傾斜面付近（図１に示すＡ部）における筐体本体およびＯリングの拡大斜視図である。
【図３】Ｏリング溝にＯリングが配置されていない状態における、筐体本体の傾斜面付近の平面図である。
【発明を実施するための形態】
【００１３】
以下、本発明の実施形態に係る筐体について、図面に基づいて詳細に説明する。
【００１４】
図１は、本実施形態に係る筐体の分解斜視図である。ここでは、携帯電話機の筐体について説明するが、本発明に係る筐体は、液体から隔離される必要がある電子部品を内部に備える電子機器（例えばデジタルカメラ）の筐体に適用可能である。
【００１５】
図１に示すように、筐体１は、弾性を有するＯリング２と、Ｏリング２を挟んで収容空間を形成する一対の筐体本体３ａ，３ｂと、を備えている。
【００１６】
一対の筐体本体３ａ、３ｂには、収容空間を筐体１の外側へ向かって開放する複数の開口部４が形成されている。開口部４には、開口を覆う部品（液晶表示部品や電池蓋など）が取り付けられる。開口部４にこのような部品が取り付けられて、収容空間が密閉される。
【００１７】
なお、本書の説明では、一対の筐体本体３ａ，３ｂの間の防水構造について説明するが、開口部４に取り付けられる部品と、筐体本体３ａ，３ｂとの間の防水構造にも本発明の構造を適用することが可能である。
【００１８】
それぞれの筐体本体３ａ，３ｂは、係合爪（不図示）および該係合爪に対応して設けられた係合穴（不図示）を備えている。係合爪および係合穴が係合することによって一対の筐体本体３ａ，３ｂが互いに結合されている。
【００１９】
係合爪および係合穴は、一対の筐体本体３ａ，３ｂが互いに近づく方向の力を加えた状態で、一対の筐体本体３ａ，３ｂを結合している。すなわち、一対の筐体本体３ａ，３ｂの間に配置されたＯリング２が圧縮されるように、係合爪および係合穴は設計されている。一対の筐体本体３ａ，３ｂは、ネジやリベットなどを用いて結合されていてもよい。
【００２０】
一対の筐体本体３ａ，３ｂの間でＯリング２が圧縮されているため、Ｏリング２と、一対の筐体本体３ａ，３ｂの、Ｏリング２と当接している当接面５と、の間の隙間が塞がれている。したがって、筐体１の外側から収容空間への液体の浸入が抑制され、筐体１の防水性がより高まっている。
【００２１】
当接面５は、上記のようにそれぞれの筐体本体３ａ，３ｂに加えられる力の方向（以下、結合方向Ｘという）に対して垂直に交わる垂直面６と、結合方向Ｘに対して傾斜している傾斜面７と、を含んでいる。
【００２２】
当接面５が傾斜面７を含むことによって、当接面５のすべてが垂直面６である場合に比べて、それぞれの筐体本体３ａ，３ｂの形状をより自由に設計することができる。例えば、開口部４を筐体本体３ｂの任意の位置に設計し、開口部４の位置にあわせて当接面５の位置を設計することができる。
【００２３】
なお、当接面５のすべてが傾斜面７であってもよい。
【００２４】
図２は、傾斜面７付近（図１に示すＡ部）における筐体本体３ｂおよびＯリング２の拡大斜視図である。図２に示すように、筐体本体３ｂの傾斜面７には、結合方向Ｘに対して傾斜している方向（以下、傾斜方向Ｙという）に延びるＯリング溝８（斜線でハッチングされている領域）が形成されている。
【００２５】
一対の筐体本体３ａ，３ｂ（図１）は、Ｏリング２がＯリング溝８に配置された状態で結合されている。Ｏリング溝８を設けることによって、一対の筐体本体３ａ，３ｂに対するＯリング２の位置を所望の位置に配置しやすくなる。
【００２６】
Ｏリングを配置するためのＯリング溝８は、傾斜面７だけでなく、傾斜面７以外の領域、すなわち垂直面６にも形成されていてもよい。また、Ｏリング溝８は、筐体本体３ａの傾斜面７や、両方の筐体本体３ａ，３ｂの傾斜面７に形成されていてもよい。
【００２７】
図３は、Ｏリング溝８にＯリング２が配置されていない状態における、筐体本体３ｂの傾斜面７付近を、筐体本体３ａの側から見たときの平面図である。図３では、Ｏリング溝８が形成されている部分に斜線のハッチングが描かれている。なお、傾斜面７は、紙面上の下側から上側に向かうにつれて紙面の奥側から手前側へ傾斜している。
【００２８】
図３に示すように、傾斜面７に形成されたＯリング溝８は、他の部分に比べて溝幅が狭くなっている狭窄部分９を含んでいる。狭窄部分９は、例えばＯリング溝８の側面に、Ｏリング溝８の一方の側壁からもう一方の側壁に向かう方向（以下、溝幅方向という）へ突出するように設けられた突出部１０により形成されている。
【００２９】
狭窄部分９の溝幅Ｌ１は、圧縮されていない状態のＯリング２（図２）の、Ｏリング溝８の溝幅方向における寸法（以下、Ｏリング太さＭ（図２）という）よりも小さい。したがって、Ｏリング溝８に配置されたＯリング２は、狭窄部分９において溝幅方向に狭圧される。
【００３０】
Ｏリング２が溝幅方向に狭圧されることによって、Ｏリング２の、傾斜方向Ｙへの移動および変形が抑制される。そのため、一対の筐体本体３ａ，３ｂを結合するときにＯリング２へ傾斜方向Ｙ（図２）の力が発生しても、Ｏリング２は傾斜方向Ｙへ引き伸ばされなくなる。その結果、傾斜面７と垂直な方向のＯリング２の厚みの減少が抑制され、筐体１の防水性の低下を抑制することができる。
【００３１】
このように、本発明に係る筐体１は、当接面５が結合方向Ｘに対して傾斜した比較的複雑な形状を有する筐体本体３ａ，３ｂであっても、防水性の低下を抑制することができる。
【００３２】
また、Ｏリング溝８のすべての部分における溝幅が、Ｏリング太さＭ（図２）よりも小さい場合、Ｏリング２をＯリング溝８に配置することが困難な場合がある。また、Ｏリング溝８のすべての部分における溝幅が、Ｏリング太さＭよりも大きい場合、Ｏリング２をＯリング溝８に配置しても、一対の筐体本体３ａ，３ｂを結合する際にＯリング溝８からＯリング２が脱落してしまうことがある。
【００３３】
本実施形態では、狭窄部分９以外の部分における溝幅Ｌ２は、Ｏリング太さＭよりも大きくなっている。したがって、溝幅Ｌ２がＯリング太さＭよりも小さい場合に比べて、Ｏリング２をＯリング溝８へ配置しやすい。また、狭窄部分９によってＯリング２がＯリング溝８へ保持されているため、Ｏリング溝８からのＯリング２の脱落を抑制することができる。
【符号の説明】
【００３４】
１      筐体
２      Ｏリング
３ａ，３ｂ  筐体本体
５      当接面
７      傾斜面
８      Ｏリング溝
９      狭窄部分
【図１】
2012142384.tif 000003
【図２】
2012142384.tif 000004
【図３】
2012142384.tif 000005